(57)【要約】モバイル・デバイスのために、指定されたドメインとの互換プロトコルを用いて、プロトコル・アドレス割当を容易にするシステムおよび方法論が説明される。デバイスは、ゲートウェイを介して無線ネットワーク・アクセスを要求しうる。ゲートウェイは、認証／許可要求を、認証サーバへ転送しうる。認証が正しくなされると、認証サーバは、デバイスまたはそのユーザに関する１または複数のドメイン識別子を送信しうる。このドメイン識別子を用いて、次のドメイン通信のためにデバイスを設定する際に使用される互換プロトコルが決定されうる。
2010533462.tif 000002
【特許請求の範囲】
【請求項１】
所望のドメインに少なくとも部分的に基づいて、モバイル・デバイスにプロトコル・サービスを提供する方法であって、
モバイル・デバイスのユーザに関連するドメイン識別子を受信することと、
前記ドメイン識別子にしたがって、ドメインとの１または複数の互換プロトコルを決定することと、
前記モバイル・デバイスの前記ドメインにおける次の通信を容易にするために、前記１または複数の互換プロトコルに関連する通信パラメータを設定することと
を備える方法。
【請求項２】
前記モバイル・デバイスの認証／許可後、前記ドメイン識別子が、認証、許可、および課金（ＡＡＡ）サーバから受信される請求項１に記載の方法。
【請求項３】
前記ＡＡＡサーバへの通信アクセスを前記モバイル・デバイスへ提供することをさらに備える請求項２に記載の方法。
【請求項４】
前記モバイル・デバイスのユーザを、訪問ＡＡＡサーバに関して認証するために、前記設定された通信パラメータを利用することをさらに備える請求項２に記載の方法。
【請求項５】
前記モバイル・デバイスの認証および／または許可、ならびに前記ドメイン識別子の受信のために、前記ＡＡＡサーバへアクセス要求を送信することをさらに備える請求項２に記載の方法。
【請求項６】
前記ドメイン識別子は、前記ＡＡＡサーバからのアクセス受諾メッセージで受信される請求項５に記載の方法。
【請求項７】
前記ドメイン識別子は、送信されたユーザ・プロファイルの一部で受信される請求項１に記載の方法。
【請求項８】
前記１または複数の互換プロトコルおよび設定された通信パラメータを用いて、前記モバイル・デバイスとの通信を確立することをさらに備える請求項１に記載の方法。
【請求項９】
無線通信装置であって、
受信したドメイン識別表示に少なくとも部分的に基づいて、モバイル・デバイスのための互換通信プロトコルを決定し、前記互換通信プロトコルにしたがって前記モバイル・デバイスのための通信パラメータを設定するように構成された少なくとも１つのプロセッサと、
前記少なくとも１つのプロセッサに接続されたメモリと
を備える無線通信装置。
【請求項１０】
前記少なくとも１つのプロセッサはさらに、前記モバイル・デバイスの認証後、認証、許可、および課金（ＡＡＡ）サーバから、前記ドメイン識別表示を受信するように構成された請求項９に記載の無線通信装置。
【請求項１１】
前記少なくとも１つのプロセッサはさらに、前記ドメイン識別表示を受信するために、前記ＡＡＡサーバへアクセス要求メッセージを送信するように構成された請求項１０に記載の無線通信装置。
【請求項１２】
前記ドメイン識別表示は、前記アクセス要求メッセージに応答して送信されたアクセス受諾メッセージで受信される請求項１１に記載の無線通信装置。
【請求項１３】
前記少なくとも１つのプロセッサはさらに、前記互換通信プロトコルを用いて、前記モバイル・デバイスとの通信を確立するように構成された請求項９に記載の無線通信装置。
【請求項１４】
前記少なくとも１つのプロセッサはさらに、前記確立された通信によって訪問ＡＡＡサーバと通信することによって、前記モバイル・デバイスのユーザの認証／許可を要求するように構成された請求項１３に記載の無線通信装置。
【請求項１５】
前記少なくとも１つのプロセッサはさらに、前記ドメイン識別表示を備えるユーザ・プロファイルを受信するように構成された請求項９に記載の無線通信装置。
【請求項１６】
前記ドメイン識別表示は、前記モバイル・デバイスのユーザによって利用される所望のドメインを提供する請求項９に記載の無線通信装置。
【請求項１７】
無線ネットワークを用いてモバイル・デバイスとのプロトコル通信を確立する無線通信装置であって、
モバイル・デバイスに関連する、受信したドメイン識別子にしたがって、互換通信プロトコルを決定する手段と、
前記互換通信プロトコルに基づいて、次の通信で利用される、前記モバイル・デバイスのためのプロトコル通信パラメータを設定する手段と
を備える無線通信装置。
【請求項１８】
認証、許可、および課金（ＡＡＡ）サーバによる前記モバイル・デバイスの認証後、前記ＡＡＡサーバから、前記ドメイン識別子を受信する手段をさらに備える請求項１７に記載の無線通信装置。
【請求項１９】
前記モバイル・デバイスと前記ＡＡＡサーバと間の通信を容易にするために、下部通信レイヤで前記モバイル・デバイスを認証する手段をさらに備える請求項１８に記載の無線通信装置。
【請求項２０】
前記モバイル・デバイスの認証は、前記ＡＡＡサーバによる認証のみならず、別のＡＡＡサーバにおける前記モバイル・デバイスのユーザの追加認証を備える請求項１８に記載の無線通信装置。
【請求項２１】
前記別のＡＡＡサーバからの前記ユーザの認証は、前記設定されたプロトコル通信パラメータを利用して前記モバイル・デバイスと前記別のＡＡＡサーバとの間の通信を容易にすることによって少なくとも部分的になされる請求項２０に記載の無線通信装置。
【請求項２２】
前記互換通信プロトコルは、シンプル・インターネット・プロトコル（ＩＰ）またはモバイル・インターネット・プロトコルのうちの少なくとも１つであり、前記設定されたプロトコル通信パラメータは、ＩＰアドレスを含む請求項１７に記載の無線通信装置。
【請求項２３】
前記設定されたプロトコル通信パラメータを用いて、前記モバイル・デバイスとの通信を確立する手段をさらに備える請求項１７に記載の無線通信装置。
【請求項２４】
少なくとも１つのコンピュータに対して、モバイル・デバイスのユーザに関連するドメイン識別子を受信させるためのコードと、
前記少なくとも１つのコンピュータに対して、前記ドメイン識別子にしたがって、ドメインとの１または複数の互換プロトコルを決定させるためのコードと、
前記少なくとも１つのコンピュータに対して、前記モバイル・デバイスの前記ドメインにおける次の通信を容易にするために、前記１または複数の互換プロトコルに関連する通信パラメータを設定させるためのコードと
を備えるコンピュータ読取可能媒体を備えるコンピュータ・プログラム製品。
【請求項２５】
前記モバイル・デバイスおよび／またはデータの認証／許可後、前記ドメイン識別子が、認証、許可、および課金（ＡＡＡ）サーバから受信される請求項２４に記載のコンピュータ・プログラム製品。
【請求項２６】
前記コンピュータ読取可能媒体はさらに、前記少なくとも１つのコンピュータに対して、前記ＡＡＡサーバへの通信アクセスを前記モバイル・デバイスへ提供させるためのコードを備える請求項２５に記載のコンピュータ・プログラム製品。
【請求項２７】
前記コンピュータ読取可能媒体はさらに、前記少なくとも１つのコンピュータに対して、前記設定された通信パラメータを用いて、前記モバイル・デバイスのユーザを、訪問ＡＡＡサーバに関して認証させるためのコードを備える請求項２５に記載のコンピュータ・プログラム製品。
【請求項２８】
前記コンピュータ読取可能媒体はさらに、前記モバイル・デバイスの認証および／または許可、ならびに前記ドメイン識別子の受信のために、前記少なくとも１つのコンピュータに対して、前記ＡＡＡサーバへアクセス要求を送信させるためのコードを備える請求項２５に記載のコンピュータ・プログラム製品。
【請求項２９】
前記ドメイン識別子は、前記ＡＡＡサーバからのアクセス受諾メッセージで受信される請求項２８に記載のコンピュータ・プログラム製品。
【請求項３０】
前記コンピュータ読取可能媒体はさらに、前記少なくとも１つのコンピュータに対して、前記１または複数の互換プロトコルおよび設定された通信パラメータを用いて、前記モバイル・デバイスとの通信を確立させるためのコードを備える請求項２４に記載のコンピュータ・プログラム製品。
【発明の詳細な説明】
【関連出願に対する相互参照】
【０００１】
この出願は、２００７年７月９日に出願された"AUTHORIZATIONS OF IP SERVICES BASED ON DOMAIN FOR DUAL IP STACK"と題された米国仮特許出願６０／９４８，６５８号の利益を要求する。上記出願の全体は、参照によって本明細書に組み込まれる。
【技術分野】
【０００２】
次の記述は、一般に無線通信に関し、さらに詳しくは、無線通信ネットワークにおけるプロトコル・サービス許可に関する。
【背景技術】
【０００３】
無線通信システムは例えば音声、データ等のようなさまざまなタイプの通信コンテンツを提供するために広く開発された。一般的な無線通信システムは、利用可能なシステム・リソース（例えば帯域幅、送信電力等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。さらに、これらシステムは、例えば第３世代パートナシップ計画（３ＧＰＰ）、３ＧＰＰロング・ターム・イボリューション（ＬＴＥ）、超モバイル・ブロードバンド広帯域（ＵＭＢ）等のような仕様に準拠しうる。
【０００４】
通常、無線多元接続通信システムは、同時に複数のモバイル・デバイスのための通信をサポートすることができる。モバイル・デバイスはおのおのの、順方向リンクおよび逆方向リンクによる送信によって、１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成において、他のモバイル・デバイス（および／または他の基地局を備えた基地局）と通信することができる。
【０００５】
基地局は、例えば、認証、許可および課金（ＡＡＡ）サーバ、１または複数のゲートウェイ、または、任意のサービス・プロバイディング構成要素のようなコア無線ネットワーク構成要素と、モバイル・デバイスとの間の通信を容易にしうる。例えば、コア・ネットワーク構成要素は、無線ネットワークの他のデバイスまたは構成要素と通信するモバイル・デバイスを認証および／または許可するために利用されうる。さらに、ＡＡＡサーバは、格納されたプロファイルを用いて、モバイル・デバイスのユーザをベリファイし、認証／許可が正しくなされると、それをゲートウェイに通知する。その後、ゲートウェイは、次の通信を容易にするために、モバイル・デバイスに、アクセス・プロトコル・サービスを割り当てる。しかしながら、異なるプロトコルの組み合わせを用いる異なるドメインや、異なる通信プロトコルの発展が、複数のドメインのための無線ネットワーク・サポートを阻害しうる。
【発明の概要】
【０００６】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【０００７】
１または複数の実施形態および対応する開示によれば、さまざまな態様が、プロトコル割当を受信するデバイスのためにユーザ・プロファイルで指定されたドメインに少なくとも部分的に基づいて、認証／許可後のアクセス・プロトコル割当を容易にすることに関連して記載される。例えば、認証、許可および課金（ＡＡＡ）サーバは、アクセス・ゲートウェイ（ＡＧＷ）あるいはその他のコア・ネットワーク構成要素によって、モバイル・デバイスのユーザを認証することができる。ＡＡＡサーバは、モバイル・デバイスに利用可能なドメインについての１または複数の識別子を提供することができる。これは、例えば、これはプロファイルに基づきうる。ＡＧＷあるいは他の構成要素は、モバイル・デバイスおよび／またはドメインとの１または複数の互換プロトコルを決定するために、ドメイン識別子を利用しうる。その結果、ＡＧＷは、モバイル・デバイスとの互換プロトコル・サービスを持つセッションを確立することができる。
【０００８】
関連する態様によれば、所望のドメインに少なくとも部分的に基づいて、モバイル・デバイスにプロトコル・サービスを提供する方法が提供される。この方法は、モバイル・デバイスのユーザに関連するドメイン識別子を受信することと、ドメイン識別子にしたがって、ドメインとの１または複数の互換プロトコルを決定することとを含みうる。この方法はさらに、モバイル・デバイスがドメインにおける次の通信を容易にするための、１または複数のプロトコルに関連する通信パラメータを設定することを含みうる。
【０００９】
別の態様は無線通信装置に関する。この無線通信装置は、受信したドメイン識別表示に少なくとも部分的に基づいて、モバイル・デバイスのための互換通信プロトコルを決定するのみならず、互換通信プロトコルにしたがってモバイル・デバイスのための通信パラメータを設定するように構成された少なくとも１つのプロセッサを含みうる。この無線通信装置はさらに、少なくとも１つのプロセッサに接続されたメモリを含みうる。
【００１０】
また別の態様は、無線ネットワーク・モバイル・デバイスとのプロトコル通信を確立する無線通信装置に関する。この無線通信装置は、モバイル・デバイスに関連して受信したドメイン識別子にしたがって、互換通信プロトコルを決定する手段を備えうる。この無線通信装置はさらに、互換通信プロトコルに基づいて、モバイル・デバイスが次の通信で利用されるためのプロトコル通信パラメータを設定する手段を含みうる。
【００１１】
また別の態様は、少なくとも１つのコンピュータに対して、モバイル・デバイスのユーザに関連するドメイン識別子を受信させるためのコードを含むコンピュータ読取可能媒体を有しうるコンピュータ・プログラム製品に関する。このコンピュータ読取可能媒体はまた、少なくとも１つのコンピュータに対して、このドメイン識別子にしたがって、ドメインとの１または複数の互換プロトコルを決定させるためのコードを備えうる。さらに、このコンピュータ読取可能媒体は、少なくとも１つのコンピュータに対して、モバイル・デバイスがドメインにおける次の通信を容易にするための１または複数のプロトコルに関連する通信パラメータを設定させるためのコードを備えうる。
【００１２】
前述した目的および関連する目的を達成するために、１または複数の実施形態は、後に十分に記載され、特許請求の範囲において特に指摘されている特徴を備える。次の記述および添付図面は、１または複数の実施形態のある実例となる態様を詳細に記述する。しかしながら、これらの態様は、さまざまな実施形態の原理が適用されるさまざまな方法のうちの僅かしか示しておらず、記述された実施形態は、そのような全ての局面およびそれらの等価物を示すことが意図されている。
【図面の簡単な説明】
【００１３】
【図１】図１は、本明細書に記述されたさまざまな態様にしたがう無線通信システムの実例である。
【図２】図２は、認証／許可後にデバイスのドメイン識別子を受信する無線通信システムの実例である。
【図３】図３は、ドメイン識別表示後にプロトコル・アドレスを割り当てる無線通信システムの実例である。
【図４】図４は、無線通信環境内で適用される通信装置の実例である。
【図５】図５は、モバイル・デバイスのドメインおよび互換プロトコルを決定することを有効にする無線通信システムの実例である。
【図６】図６は、正しい認証後にドメイン識別子を送信することを容易にする方法論の実例である。
【図７】図７は、指定されたドメインとの互換プロトコルを用いて、デバイスとの接続を確立することを容易にする方法論の実例である。
【図８】図８は、本明細書に記述されたさまざまなシステムおよび方法と共に使用することができる無線ネットワーク環境の実例である。
【図９】図９は、無線通信における認証後に、モバイル・デバイスにプロトコル・アドレスを割り当てるシステムの実例である。
【発明を実施するための形態】
【００１４】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、１または複数の実施形態の記載を容易にするために、周知の構成およびデバイスがブロック図形式で示される。
【００１５】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、さまざまなデータ構造を格納して有するさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００１６】
さらに、本明細書ではさまざまな態様が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、さまざまな実施形態は、基地局に関して本明細書で記述される。基地局は、モバイル・デバイスと通信するために利用され、アクセス・ポイント、ノードＢ、発展型ノードＢ（ｅＮｏｄｅ  ＢあるいはｅＮＢ）、ベース・トランシーバ局（ＢＴ）あるいはその他の用語でも称されうる。
【００１７】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、またはメディアからアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００１８】
本明細書に記載された技術は、例えば符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ＣＤＭＡ２０００等のような無線技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００、ＩＳ−９５規格、およびＩＳ−８５６規格をカバーする。ＴＤＭＡシステムは、例えばグローバル移動体通信システム（ＧＳＭ）のような無線技術を実施することができる。ＯＦＤＭＡシステムは、例えば発展型ＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ＣＤＭＡ２０００およびＵＭＢは、「第３世代パートナシップ計画２」（３ＧＰＰ２）からの文書に記載されている。
【００１９】
図１に示すように、無線通信システム１００が、本明細書に示されたさまざまな実施形態にしたがって例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２０】
基地局１０２は、例えばモバイル・デバイス１１６およびモバイル・デバイス１２２のような１または複数のアクセス端末と通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２１】
通信するように指定された領域および／またはアンテナのおのおののグループは、基地局１０２のセクタと称されうる。例えば、基地局１０２によってカバーされる領域のセクタ内のモバイル・デバイスに通信するように、複数のアンテナが設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを適用することができる。また、基地局１０２が、関連する有効範囲にランダムに散在したモバイル・デバイス１１６、１２２に送信するためにビームフォーミングを利用している間、近隣セル内のモバイル・デバイスは、全てのモバイル・デバイスに対して単一アンテナによって送信している基地局に比べて、少ない干渉しか被らない。さらに、モバイル・デバイス１１６、１２２は、図示するように、ピア・ツー・ピアまたはアド・ホック技術を用いて互いに直接的に通信することができる。
【００２２】
一例によれば、システム１００は、複数入力複数の出力（ＭＩＭＯ）通信システムになりえる。さらに、システム１００は、例えばＦＤＤ、ＴＤＤ等のような通信チャンネル（例えば、順方向リンク、逆方向リンク等）を分割するために、任意のタイプの二重化技術を実質的に利用することができる。さらに、基地局１０２は、コア・ネットワーク構成要素によってモバイル・デバイス１１６および／またはモバイル・デバイス１２２に、無線ネットワークへのアクセスを提供しうる。例えば、基地局１０２は、認証および／または許可のようなサービスを提供するために、モバイル・デバイス１１６および／またはモバイル・デバイス１２２と、コア・ネットワークとの間の通信を容易にしうる。例えば、基地局１０２は、ゲートウェイのような１または複数のコア・ネットワーク・デバイスに接続されたラジオ・ネットワーク・コントローラ（ＲＮＣ）（図示せず）に接続されうる。一例において、コア・ネットワーク許可、認証、および課金（ＡＡＡ）サーバ（図示せず）、あるいはその他のコア・ネットワーク構成要素は、ゲートウェイから要求を受けると、モバイル・デバイス１１６および／またはモバイル・デバイス１２２を認証しうる。認証および／または許可が正しくなされると、ＡＡＡサーバは、モバイル・デバイス１１６および／またはモバイル・デバイス１２２や、ゲートウェイに関連する１または複数のドメイン識別子を提供しうる。このドメイン識別子に少なくとも部分的に基づいて、ゲートウェイは、互換アクセス・プロトコル・サービスを利用し、基地局１０２を経由して、互換アクセス・プロトコルを用いて、モバイル・デバイス１１６および／またはモバイル・デバイス１２２とのセッションを確立しうる。その結果、一例において、モバイル・デバイス１１６および／またはモバイル・デバイス１２２は、基地局１０２を介してコア無線ネットワークと通信しうる。
【００２３】
図２に移って、無線ネットワークにおけるデバイス認証／許可およびその後のプロトコル確立を容易にする無線通信システム２００が例示されている。例えばモバイル・デバイスのようなデバイス２０２は、記述されるように、ＲＮＣ２０４を介してアクセス・ゲートウェイ（ＡＧＷ）２０６と通信しうる。ＡＧＷ２０６は、無線ネットワークのコア・ネットワーク構成要素とのデバイス２０２の通信を容易にしうる。一例において、図示するように、ＡＧＷ２０６は、基礎をなす無線ネットワーク上のデバイス２０２を認証／許可するために、ＡＡＡサーバ２０８へのアクセスをデバイス２０２へ提供しうる。さらに、デバイス２０２は、時間にわたって異なるＲＮＣにアクセスしうる。ある場合には、ソースＲＮＣおよびターゲットＲＮＣが、同じアクセス・ゲートウェイ２０６を利用しうる。前のプロトコル利用（例えば、シンプル・インターネット・プロトコル（ＩＰ））が、おのおののＲＮＣにおいて、デバイス２０２へ新たなプロトコル・アドレスが割り当てられることを求める一方で、新たなＲＮＣへの転送が必ずしも新たなプロトコル・アドレスを必要としないように、プロトコル・アドレスがＡＧＷ２０６（例えば、モバイルＩＰ）にアンカされうる技術が開発された。
【００２４】
図示するように、デバイス２０２は、ＲＮＣ２０４を介してＡＧＷ２０６から下部レイヤでの接続確立および認証／許可を必要としうる。ＲＮＣ２０４は、１または複数の基地局（図示せず）を介してデバイス２０２へ接続しうることが認識されるべきである。無線ネットワークのＡＡＡサーバ２０８を用いて、上部レイヤにおいて、デバイス２０２およびそのユーザの認証および／または許可を行うために、デバイス２０２は、下部レイヤの確立後、ＡＧＷ２０６を介してＡＡＡサーバ２０８と通信しうる。この点に関連して、ＡＡＡサーバ２０８は、デバイス２０２および／またはそのユーザに関連するパラメータを格納しうる。これらは、認証／許可要求がなされると、デバイス２０２によって提供されたものと比較されうる。一例において、ＡＡＡサーバ２０８は、デバイス２０２を正しく認証／許可すると、デバイス２０２またはそのユーザに関連する１または複数のドメイン識別子とともに、サクセス（例えば、図示するようなサービス許可パラメータ）をＡＧＷ２０６へ送信しうる。
【００２５】
例によれば、ドメイン識別子は、正しい認証および／または許可がなされた場合にＡＡＡサーバ２０８によってＡＧＷ２０６へ送信されるプロファイルの一部でありうる。ドメイン識別子は、ドメイン内で通信するためにデバイス２０２によって利用されうる互換プロトコルを示しうる。一例において、ＡＧＷ２０６は、ドメインを、互換プロトコルのうちの１または複数に関連付け、互換アクセス・プロトコル・サービスを用いて、このプロトコルを用いるデバイス２０２とのセッションを確立しうる。例えば、指定されたドメインとの互換プロトコルは、シンプルＩＰｖ４およびシンプルＩＰｖ６のようなシンプルＩＰプロトコル、モバイルＩＰｖ４およびモバイルＩＰｖ６のようなモバイル・プロトコル、および／またはその他のプロトコルのうちの１または複数を含みうる。したがって、ＡＡＡサーバ２０８からドメイン表示を受信すると、ＡＧＷ２０６は、１または複数の互換プロトコルを決定し、デバイス２０２のためのプロトコルを設定するか、および／または、デバイス２０２とのプロトコル・セッションを確立しうる。例えば、これは、デバイス２０２から、１または複数のプロトコルに基づいてセッションを確立する要求を受信することと、要求されたプロトコルがドメインとの互換性がない場合、接続確立を拒否することを含みうる。あるいは、ＡＧＷ２０６は、一例では、デバイス２０２に対して、１または複数の利用可能なプロトコルを指定しうる。
【００２６】
記述されるように、デバイス２０２との通信を確立するために使用されるプロトコルのタイプは、デバイス２０２との次の通信を定義しうる。例えば、モバイルＩＰプロトコルが、ＡＡＡサーバ２０８によってＡＧＷ２０６へ指定されたドメインと互換である場合、デバイス２０２が、ラジオ・ネットワーク・コントローラ間で通信するのであれば、例えば、新たなラジオ・ネットワーク・コントローラが、同じＡＧＷ２０６を利用する場合に、引き続き同じ通信セッションが利用されうる。さらに、デバイス２０２またはユーザに関連するドメインとの互換プロトコルは、例えば、ＲＮＣ２０４においてアンカされたシンプルＩＰとなりうる。したがって、デバイス２０２が新たなＲＮＣに移動すると、別のプロトコル・セッションが確立されうる。
【００２７】
図３に示すように、複数レベルにおけるデバイス許可／認証およびその後のプロトコル・サービス確立を容易にする無線通信システム３００が例示される。記述されるように、デバイス３０２は、ＲＮＣ３０４を介してＡＧＷ３０６と通信しうる。ＡＧＷ３０６は、基礎をなす無線ネットワーク上のデバイス３０２を認証／許可するために、例えばＡＡＡサーバ３０８のような無線ネットワークのコア・ネットワーク構成要素とデバイス３０２との通信を容易にしうる。ＡＡＡサーバ３０８によって認証／許可が正しくなされると、ＡＧＷへドメイン・インジケータが（例えば、自動的に、あるいは、アクセス要求に応答して）送信されうる。さらに、デバイス３０２のユーザのため、別のＡＡＡサーバ３１０によるその他の認証／許可レイヤが必要とされる。したがって、プロトコルは、別のＡＡＡサーバ３１０のドメインとも互換性を持つと判定されうる。この点において、プロトコルを用いて、ユーザ認証および／または許可が、適切に要求されうる。
【００２８】
したがって、この例では、下部レイヤによる接続確立および認証／許可が、（ＲＮＣ３０４を介して）デバイス３０２とＡＧＷ３０６との間でなされうる。接続確立後、デバイス３０６は、説明したように、ＡＡＡサーバ３０８によって認証および／または許可されうる。さらに、認証／許可が正しくなされると、ＡＡＡサーバ３０８は、ＡＧＷ３０６へドメイン識別子を送信しうる。これは、ドメインとの通信のために利用される１または複数の適切なプロトコルを決定するために利用されうる。これは、ユーザ・プロファイル送信、ドメインの明示的な識別表示、および／または、互換プロトコル等の一部でありうることが認識される。しかしながら、デバイス３０２のユーザのために、他のレイヤの認証／許可が望まれる。この点に関し、デバイス３０２は、ＡＧＷ３０６を介して、別のＡＡＡサーバ３１０へユーザ認証／許可を求める。そしてＡＧＷ３０６は、この通信のために、上記のように決定された適切なプロトコルが利用されていることを確証しうる。したがって、ＡＧＷ３０６は、プロトコルを設定し、ＡＡＡサーバ３０８によって提供されるプロトコル許可情報に基づいて、デバイス３０２へプロトコル・アドレスを割り当てうる。
【００２９】
前述したように、プロトコル許可情報は、ドメイン識別子を備えうる。ＡＧＷ３０６は、これを用いて互換プロトコルを決定しうる。ＡＡＡサーバ３０８が、互換プロトコルを決定し、ＡＧＷ３０６へ情報を通信しうることが認識されるべきである。さらに、プロトコル許可情報は、一例において、モバイル・デバイスおよび／またはそのユーザのための、所望のドメインを備えたユーザ・プロファイルを含みうる。ＡＧＷ３０６は、互換プロトコルを決定すると、デバイス３０２から、プロトコル・アドレス割当を求める要求を受け取ることができる。一例において、デバイス３０２は、プロトコルのタイプを要求し、ＡＧＷ３０６は、要求されたプロトコルが、決定された互換プロトコルのうちの１つであるかに基づいて、この要求を許可または拒否しうる。別の例またはさらなる例では、ＡＧＷ３０６が、互換プロトコルのうちの１または複数をデバイス３０２へ送信しうる。
【００３０】
図４に示すように、無線通信環境において適用される通信装置４００が例示される。この通信装置４００は、ＡＧＷ、ＡＡＡ、その他のコア・ネットワーク構成要素、基地局、モバイル・デバイス、および／またはそれらの一部、あるいは、無線通信環境で送信されたデータを受信する実質的に任意の通信装置でありうる。この通信装置４００は、１または複数の別のソースから、モバイル・デバイスのドメイン識別表示を取得するドメイン識別子受信機４０２と、ドメイン識別表示で識別されたドメインを用いて利用可能な１または複数のプロトコルを決定する互換プロトコル指定部４０４と、１または複数の利用可能なプロトコルに少なくとも部分的に基づいて、デバイスとの通信のためのプロトコルを確立する（例えばモバイル・デバイスとの通信に利用するためのＩＰアドレスのようなアドレス、ドメイン・ネーム・システム（ＤＮＳ）設定等を決定することを含む）通信プロトコル設定部４０６とを含みうる。
【００３１】
一例によれば、ドメイン識別子受信機４０２は、モバイル・デバイスによって利用可能な１または複数のドメインの識別表示を受信しうる。この識別表示は、１または複数のコア・ネットワーク構成要素、モバイル・デバイス、１または複数の関連する基地局等に由来しうる。このドメイン識別表示は、モバイル・デバイスや、モバイル・デバイスに利用可能なものによって要求される１または複数のサービスに関連付けられうる。そして、一例では、モバイル・デバイスおよび／またはそのユーザの認証後、ＡＡＡサーバから送信されうる。互換プロトコル指定部４０４は、識別されたドメインとの１または複数の互換プロトコルを決定しうる。例えば、これらプロトコルは、記述された、例えばシンプルＩＰやモバイルＩＰまたはそれらの別バーションであるインターネット・プロトコル等でありうる。これは、所与のドメインのために利用可能なプロトコルを示す格納されたルックアップ・テーブル、１または複数のデバイスに対するクエリ、他のドメイン互換プロトコルからなされた推論等に由来しうる。
【００３２】
通信プロトコル設定部４０６は、ドメインについて決定された互換プロトコルに少なくとも部分的に基づいて、モバイル・デバイスのためのプロトコルを設定しうる。これは、モバイル・デバイスへプロトコル・アドレスを割り当てること、およびＤＮＳサーバ・パラメータを設定すること等を含みうる。この点において、通信装置４００は、このプロトコル設定を用いて、モバイル・デバイスとの接続を確立することができる。これは、モバイル・デバイスからの接続要求に対する応答、および／または、互換プロトコル指定部４０４によって指定されたモバイル・デバイス利用可能プロトコルの提供をもたらす。前の例では、モバイル・デバイスが、関連するドメインによってサポートされていないプロトコルを要求する場合、通信装置は、モバイル・デバイスに対して、別のプロトコルを指定すること、および／または、利用可能なプロトコルのリストを提供することを要求しうる。さらに、この点において、基礎をなすネットワーク構成要素は、モバイル・デバイス認証が完了した場合、実質的に可能な全てのサービス許可情報をＡＧＷへ提供する必要はなく、通信装置４００は、識別されたドメインとの互換プロトコルを用いて単純に動作しうる。
【００３３】
図５に示すように、ドメイン識別子に少なくとも部分的に基づいて互換ＩＰサービス利用を容易にする無線通信システム５００が例示される。システム５００は、ＡＡＡサーバ５０４（および／または、例えばモバイル・デバイスとアクセスするための（図示しない）任意の数のモバイル・デバイスまたは（図示しない）ＲＮＣ）と通信するＡＧＷ５０２を含む。一例において、ＡＧＷ５０２は、１または複数のデバイスへコア無線ネットワーク・アクセスを提供し、ＡＡＡサーバ５０４は、無線ネットワーク上のデバイスを認証および／または許可しうる。さらに、ＡＧＷ５０２の中に図示され記述された構成要素および機能性は、一例において、ＡＡＡサーバ５０４内に存在しうるし、その逆もありえる。
【００３４】
ＡＧＷ５０２は、認証されたモバイル・デバイスに関連するユーザ・プロファイルを取得するユーザ・プロファイル受信機５０６と、ユーザ・プロファイルに関連するドメインを決定するドメイン識別子５０８と、例えばデバイス・アドレス（例えば、ＩＰアドレス）、ＤＮＳサーバ設定等のようなプロトコルの関連するドメインおよび設定パラメータに少なくとも部分的に基づいて、モバイル・デバイスと通信する際に使用するプロトコルを決定する通信プロトコル設定部５１０とを備えうる。例えば、説明したように、ドメインは、１または複数のタイプのプロトコルと互換性をもつことができるので、ドメインが決定されると、ＡＧＷ５０２は、関連するモバイル・デバイスから通信要求を受け取り、このデバイスによって指定されたプロトコルおよび／または互換ドメイン・プロトコルに少なくとも部分的に基づいてプロトコルを設定しうる。
【００３５】
ＡＡＡサーバ５０４は、基礎をなすネットワークとの通信のために、モバイル・デバイスまたはそのユーザを認証および／または許可する認証／許可機能５１２のみならず、認証／許可が正しくなされると、ユーザ・プロファイルをＡＧＷ５０２に送信するユーザ・プロファイル送信機５１４を備える。したがって、一例において、ＡＧＷ５０２は、ＡＡＡサーバ５０４から、モバイル・デバイスのための認証／許可を受信しうる。認証／許可機能５１２は、認証／許可を実行しうる。一例において、これは、モバイル・デバイスによって指定されたパラメータを、基礎をなすネットワーク等に格納されたものと比較することを伴いうる。認証および／または許可がＡＡＡサーバ５０４で正しく行われると、ユーザ・プロファイル送信機５１４は、モバイル・デバイスまたはそのユーザに関連するプロファイルをＡＧＷ５０２へ送信しうる。
【００３６】
一例において、ユーザ・プロファイルは、ＡＡＡサーバ５０４からＡＧＷ５０２へのアクセス要求に応答しても提供されうる。ユーザ・プロファイル受信機５０６は、ＡＡＡサーバ５０４から送信され、モバイル・デバイスおよび／またはユーザとの１または複数の互換ドメインを指定しうるドメイン・インジケータおよび／またはプロファイルを受信しうる。ドメイン識別子５０８は、１または複数のドメインおよびこのドメインの互換プロトコルを決定しうる。したがって、ＡＧＷ５０２は、モバイル・デバイスと通信するために、実質的な全てのプロトコルを明らかにすることなく、所望の通信のための可能なプロトコルを決定する。通信プロトコル設定部５１０は、例えばプロトコル・アドレス等のように、指定されたドメインにおける有効なプロトコル・サービス・アクセスを容易にするために、次の通信で利用するためのモバイル・デバイスのプロトコル・パラメータを設定しうる。その結果として、ＡＧＷ５０２は、互換プロトコルを利用するモバイル・ネットワークのため、無線ネットワークにおける適切なドメイン通信を容易にしうる。例えば、ＡＡＡサーバ５０４が、モバイル・デバイスと同じサービス・プロバイダにいない場合、認証は、複数のフェーズを有しうることが認識されるべきである。この点に関し、ＡＧＷ５０２は、一例において、互換プロトコルを用いて、追加のユーザ認証および／または許可を得るために、別のＡＡＡサーバとのデバイス通信を容易にする。
【００３７】
図６乃至図７に示すように、デバイスおよび／またはユーザの認証および／または許可後のモバイル・デバイス通信のためのプロトコル・サービスの選択に関する方法論が例示される。説明を簡単にする目的で、これら方法論は一連の動作として図示され記載されているが、幾つかの動作は、１または複数の実施形態にしたがって、本明細書に図示され記載されたものとは異なる順序で、および／または、他の動作と同時に生じうるので、これらの方法論は、これら動作順によって限定されないことが理解され認識されるべきである。例えば、当業者であれば、方法論は、代わりに、例えば状態図のような相互関連する状態またはイベントのシリーズとして表されうることを理解するだろう。さらに、１または複数の実施形態にしたがって方法論を実現するために必ずしも例示された全ての動作が必要とされる訳ではない。
【００３８】
図６に移って、無線ネットワークに関するデバイスおよび／またはユーザの認証／許可後にドメイン識別子を送信することを容易にする方法論６００が例示される。６０２では、モバイル・デバイスまたはそのユーザのためのユーザ認証／許可要求が受信されうる。説明したように、この要求は、例えば、モバイル・デバイスが、さらなる無線ネットワーク・リソースにアクセスすることを可能にするためになされる。６０４では、ユーザが、無線ネットワークに対して認証／許可されうる。説明したように、これはさらに、ユーザによって利用されるモバイル・デバイスにも関連しうる。６０６では、認証／許可が正しくなされると、アクセス・ゲートウェイへドメイン識別子が送信されうる。説明したように、ドメイン識別子は、一例において、ユーザ・プロファイルの一部として送信され、利用される１または複数のドメインを識別しうる。これは、一例において、ユーザおよび／またはデバイスとの通信を確立するための互換プロトコルを決定するために使用されうる。
【００３９】
図７に移って、少なくともドメイン識別表示に基づいて、モバイル・デバイスとのプロトコル通信を確立することを容易にする方法論７００が例示される。７０２では、モバイル・デバイスのユーザのためのドメイン識別子が、ネットワーク認証とともに受信されうる。したがって、説明したように、モバイル・デバイスまたはそのユーザが、無線ネットワークにおいて認証されうる。これは、一例において、ＡＡＡサーバを利用することを含みうる。認証／許可がなされると、ユーザまたはデバイスのためのプロファイルが受信されうる。７０４では、ドメイン識別子から互換プロトコルが決定されうる。説明したように、これらプロトコルは、例えばシンプルＩＰ、モバイルＩＰ、それらのバージョン等のようなＩＰプロトコルであり、異なるドメインが、異なるプロトコルをサポートしうる。したがって、ユーザまたはデバイスのためのドメインを決定することによって、互換プロトコルが決定され、７０６では、互換プロトコルを用いて、モバイル・デバイスとの通信が確立されうる。
【００４０】
本明細書に記載の１または複数の態様によれば、前述したように、ドメインのためのプロトコルの選択に関する推論がなされうることが認識されるだろう。本明細書で使用されるように、「推論する」または「推論」なる用語は一般に、イベントおよび／またはデータによって取得されたような観察のセットからの、システムの状態、環境、および／または、ユーザの推論あるいはそれらに関する推理のプロセスを称する。推論は、特定のコンテクストまたは動作を特定するために適用されるか、あるいは、例えば状態にわたる確率分布を生成することができる。推論は、確率論的、すなわち、興味のある状態にわたる確率分布の、データおよびイベントの考慮に基づく計算でありうる。推測はまた、イベントおよび／またはデータのセットから、より高次のイベントを構成するために適用される技術をも称する。そのような推測によって、イベントが時間的に近接して相関付けられていようといまいと、これらイベントおよびデータが１または幾つかのイベント・ソースおよびデータ・ソースに由来しようとも、観察されたイベントおよび／または格納されたイベント・データのセットから、新たなイベントまたは動作を考慮することができる。
【００４１】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的と同じでも、別のものでもありうることが認識されるべきである。さらに、基地局８１０および／またはモバイル・デバイス８５０は、その間の無線通信を容易にするために、本明細書に記述されたシステム（図１乃至図５）および／または方法（図６乃至図７）を適用しうることが認識されるべきである。
【００４２】
基地局８１０では、多くのデータ・ストリームのためのトラフィック・データが、データ・ソース８１２から送信（ＴＸ）データ・プロセッサ８１４へ提供される。一例によれば、おのおののデータ・ストリームは、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００４３】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームに関する多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、コーディング、および変調は、プロセッサ８３０によって実行または提供される命令によって決定されうる。
【００４４】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至１０２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００４５】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００４６】
アクセス端末８５０では、送信された変調信号がＮＲ個のアンテナ８５２ａ乃至８５２ｒによって受信され、おのおののアンテナ８５２からの受信信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４７】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００４８】
プロセッサ８７０は、上述したように、どの事前符合化行列を使用するのかを定期的に決定する。さらに、プロセッサ８７０は、行列インデクス部およびランク値部とを備えた逆方向リンク・メッセージを規定することができる。
【００４９】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００５０】
基地局８１０では、アクセス端末８５０からの変調信号が、アンテナ８２４によって受信され、受信機８２２によって調整され、復調器８４０によって復調され、ＲＸデータ・プロセッサ８４２によって処理されて、アクセス端末８５０によって送信された逆方向リンク・メッセージを抽出する。さらに、プロセッサ８３０は、ビームフォーミング重みを決定するためにどの事前符合化行列を使用するかを決定するために、この抽出されたメッセージを処理する。
【００５１】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００５２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００５３】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００５４】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００５５】
図９に示すように、無線ネットワークにおいて、モバイル・デバイスとの互換プロトコル接続を確立するシステム９００が例示される。例えば、システム９００は、ＡＧＷ、ＡＡＡサーバ、基地局、モバイル・デバイス等内に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、モバイル・デバイスに関連して受信したドメイン識別子にしたがって、互換通信プロトコルを決定する電子構成要素９０４を含みうる。例えば、説明したように、ドメイン識別子は、デバイスの正しい認証／許可後に受信されうる。それは一例において、ユーザ・プロファイル中で受信することができ、モバイル・デバイスまたはそのユーザに関連する１または複数のドメインを定義しうる。したがって、互換通信プロトコルは、互換通信プロトコルが無線ネットワークのドメインにおけるさらなる通信において利用されることを保証するために、ドメインに関して決定されうる。さらに、論理グループ９０２は、互換通信プロトコルに基づいて、次の通信でモバイル・デバイスが利用するためのプロトコル通信パラメータを設定する電子構成要素９０６を備えうる。したがって、ＩＰアドレスが割り当てられ、モバイル・デバイスからの通信要求に応答して、ＤＮＳサーバ設定が設定等される。この場合、要求において指定されるプロトコルが、ドメインと互換のものを用いてベリファイされる。別の例では、互換プロトコルを要求することを容易にするために、互換プロトコルのリストがデバイスへ送信される。さらに、システム９００は、電子構成要素９０４および電子構成要素９０６に関連付けられた機能を実行するための命令群を保持するメモリ９０８を含みうる。メモリ９０８の外側にあると示されているが、電子構成要素９０４および電子構成要素９０６のうちの１または複数は、メモリ９０８内に存在しうることが理解されるべきである。
【００５６】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010533462.tif 000003
【図２】
2010533462.tif 000004
【図３】
2010533462.tif 000005
【図４】
2010533462.tif 000006
【図５】
2010533462.tif 000007
【図６】
2010533462.tif 000008
【図７】
2010533462.tif 000009
【図８】
2010533462.tif 000010
【図９】
2010533462.tif 000011
【国際調査報告】
2010533462.tif 000012
2010533462.tif 000013
2010533462.tif 000014